(57)【要約】  【課題】食品などの荷重による冷蔵室の回転式扉の下がりを防止し、かつ冷蔵庫本体の剛性を向上させることを目的とする。  【解決手段】外箱２１と内箱２２とからなる空間に発泡断熱材２３を充填してなる断熱箱体２４と一体発泡で構成されている仕切体２５、２６は断熱箱体２４の冷蔵室２８よりも下の空間をより均一に近い状態に分割するように位置させることで、従来の冷蔵庫よりも細かく、かつ左右方向でより均等な大きさとなるように断熱箱体２４をセル化することができるため、冷蔵室扉２８ａに収納された食品の重量などの荷重を、バランスよく分散・支持することができ、冷蔵庫本体２０の剛性を向上させることができる。【選択図】図２
2006250421.tif 000002
【特許請求の範囲】
【請求項１】
冷蔵庫本体は、外箱と内箱で構成される空間内に発泡断熱材を充填してなる断熱箱体と、前記断熱箱体を上下左右方向に区画する複数の仕切体と、前記仕切体によって区画された各貯蔵室と、前記各貯蔵室の前方開口部を塞ぐ扉とで構成され、前記仕切体のうち断熱箱体を上下方向に区画する前記断熱箱体の略全幅を構成する第１の仕切体と、前記第１の仕切体で上下に区画された内の、下方区画の略全高で構成する第２の仕切体とを有し、前記第１の仕切体により区画された上方の貯蔵室は前方を回転式扉で構成し、前記断熱箱体に発泡断熱材を充填発泡すると同時に、前記第１の仕切体と、第２の仕切体に発泡断熱材を充填発泡したことを特徴とする冷蔵庫。
【請求項２】
前記第１の仕切体と前記第２の仕切体のうち、少なくとも１つの仕切体に連通穴を設け、前記第１の仕切体と前記第２の仕切体に、前記発泡断熱材を充填することを特徴とする請求項１に記載の冷蔵庫。
【請求項３】
前記連通穴は別体の断熱部材で構成されていることを特徴とする請求項２に記載の冷蔵庫。
【請求項４】
前記断熱箱体を上下左右に区画する複数の仕切体と、前記仕切体のうち発泡断熱材を充填された第１の仕切体と、第２の仕切体とで区画された貯蔵室の中で、前記第１の仕切体の下方に位置するとともに、最も前面開口面積が広い部屋に冷却器を配設したことを特徴とする請求項１から３のいずれか一項に記載の冷蔵庫。
【請求項５】
前記第１の仕切体の下方に位置し、前記第２の仕切体により区画された左右の貯蔵室を有し、前記貯蔵室は左右で温度帯が異なることを特徴とする請求項１に記載の冷蔵庫。
【請求項６】
前記第１の仕切体の下方に位置し、前記第２の仕切体により区画された左右の貯蔵室を有し、前記貯蔵室のうち少なくとも一方を上下に区画する第３の仕切体を構成し、前記第３の仕切体により区画された上下の各貯蔵室に前方開口部を塞ぐ扉を設けることを特徴とする請求項１に記載の冷蔵庫。
【請求項７】
前記第３の仕切体に発泡断熱材を発泡充填することを特徴とする請求項６に記載の冷蔵庫。
【請求項８】
冷蔵庫本体は、外箱と内箱で構成される空間内に発泡断熱材を充填してなる断熱箱体と、前記断熱箱体を上下左右方向に区画する複数の仕切体と、前記仕切体によって区画された各貯蔵室と、前記各貯蔵室の前方開口部を塞ぐ扉とで構成され、前記仕切体のうち断熱箱体を上下方向に区画する前記断熱箱体の略全幅を構成する第１の仕切体と、前記第１の仕切体で上下に区画された内の、下方区画の略全高で構成する第２の仕切体とを有し、前記第１の仕切体により区画された上方の貯蔵室は前方を回転式扉で構成された冷蔵室とし、第２の仕切体により区画された左右の貯蔵室は一方を野菜室とし、もう一方を冷凍室とし、前記断熱箱体に発泡断熱材を充填発泡すると同時に、前記第１の仕切体と、第２の仕切体に発泡断熱材を充填発泡したことを特徴とする冷蔵庫。
【請求項９】
前記第２の仕切体で区画された左右の貯蔵室は、幅方向で略同一としたことを特徴とする請求項８に記載の冷蔵庫。
【請求項１０】
前記冷凍室を上下に区画する第３の仕切体を有し、その前方には上下に区画された貯蔵室を塞ぐ扉を設け、前記冷凍室の上方を製氷室としたことを特徴とする請求項８または９に記載の冷蔵庫。
【請求項１１】
冷蔵庫本体は、外箱と内箱で構成される空間内に発泡断熱材を充填してなる断熱箱体と、前記断熱箱体を上下左右方向に区画する複数の仕切体と、前記仕切体によって区画された各貯蔵室と、前記各貯蔵室の前方開口部を塞ぐ扉とで構成され、前記仕切体のうち断熱箱体を上下方向に区画する前記断熱箱体の略全幅を構成する第１の仕切体と、前記第１の仕切体で上下に区画された内の、下方区画の略全高で構成する第２の仕切体と、前記第１の仕切体の下方に位置し、前記第２の仕切体により区画された左右の貯蔵室を有し、前記貯蔵室のうち少なくとも一方を上下に区画する第４の仕切体とを有し、前記第１の仕切体により区画された上方の貯蔵室は前方を回転式扉で構成された冷蔵室とし、第２の仕切体及び第４の仕切体により左右及び上下に区画された貯蔵室の上方を野菜室とし、下方を第１の冷凍室とし、前記第１の仕切体の下方略全高で構成する貯蔵室を第２の冷凍室とし、前記断熱箱体に発泡断熱材を充填発泡すると同時に、前記第１の仕切体と、第２の仕切体に発泡断熱材を充填発泡したことを特徴とする冷蔵庫。
【請求項１２】
前記第２の冷凍室を上下に区画する第３の仕切体を有し、その前方には上下に区画された貯蔵室を塞ぐ扉を設け、前記第２の冷凍室の上方を製氷室としたことを特徴とする請求項１１に記載の冷蔵庫。
【請求項１３】
前記冷蔵室に構成した前記回転扉を、前記第２の仕切体で区画された貯蔵室の前方を構成する扉と、同一線上で左右に分割したことを特徴とする請求項８から１２のいずれか一項に記載の冷蔵庫。
【請求項１４】
前記製氷室と前記第２の冷凍室は、前記野菜室と前記第１の冷凍室よりも幅方向で小さいことを特徴とする請求項１２または１３に記載の冷蔵庫。
【発明の詳細な説明】
【技術分野】
【０００１】
本発明は、冷蔵庫の箱体構造に関するものである。
【背景技術】
【０００２】
近年、冷蔵庫は食スタイルの変化から大型化の波が押し寄せ、各メーカとも同じ外形寸法で内容積を拡大する動きが加速してきている。当然同じ寸法で内容積を増加させるとなると冷蔵庫本体を構成する箱体の薄型化、特に断熱材の薄型化による容積効率を向上しなければ実現できないことは事実である。
【０００３】
従来、上下左右に３つ以上の部屋に区画されている冷蔵庫において、特許文献１に参照するように、最上段が回転式の扉で覆われた冷蔵室としたものが提案されている。
【０００４】
図９、図１０、図１１は特許文献１に記載された従来の冷蔵庫を示すものである。図９は、従来の冷蔵庫の正面図、図１０は従来の冷蔵庫の扉を開けた状態の断熱箱体の正面図、図１１は従来の冷蔵庫の縦断面図である。図１０に示すように冷蔵庫本体１を構成する断熱箱体２は仕切体３，４，５，６により区画され、上から冷蔵室７、野菜室８、切替室９、製氷室１０、冷凍室１１となっている。冷蔵室扉７ａは回転式扉、野菜室扉８ａ、切替室扉９ａ、製氷室扉１０ａ、冷凍室扉１１ａは引出し式扉である。前記回転式の冷蔵室扉７ａは断熱箱体２の上面と仕切体３で保持している。断熱箱体２は外箱１２と内箱１３からなる空間に発泡断熱材１４を充填して断熱箱体としている。断熱箱体２に発泡断熱材１４を充填する際、仕切体４にも同時に発泡断熱材１４を充填することで、仕切体４と断熱箱体２を一体構造としている。
【特許文献１】特開２００２−１１５９６３号公報
【発明の開示】
【発明が解決しようとする課題】
【０００５】
しかしながら、上記従来の構成では、冷蔵庫内の容積効率の向上を目的とした断熱箱体の側壁の薄壁化などを実施した際、補強部材無しでは断熱箱体の剛性が低下するという課題や、最上段を回転式扉で構成する冷蔵室の扉棚にペットボトルやビン類などの重量物をたくさん収納した際に、その重量物の重さで冷蔵室扉が下がり傾向になるという課題を有していた。
【０００６】
本発明は、上記従来の課題を解決するもので、近年の流れである断熱箱体側壁の薄壁化を行ったときでも、断熱箱体の剛性の劣化を防止できる。また扉の支持部の剛性を向上させることができるための断熱箱体剛性の向上を目的とした際に、補強部材を減らし必要な断熱箱体剛性を保つことができる様に、断熱箱体本体での剛性向上を実現した冷蔵庫を提供することを目的とする。
【課題を解決するための手段】
【０００７】
上記従来の課題を解決するために、本発明の冷蔵庫は、外箱と内箱で構成される空間内に発泡断熱材を充填してなる断熱箱体と、前記断熱箱体を上下左右方向に区画する複数の仕切体と、前記仕切体によって区画された各貯蔵室と、前記各貯蔵室の前方開口部を塞ぐ扉とで構成され、前記仕切体のうち断熱箱体を上下方向に区画する前記断熱箱体の略全幅を構成する第１の仕切体と、前記第１の仕切体で上下に区画された内の、下方区画の略全高で構成する第２の仕切体とを有し、前記第１の仕切体により区画された上方の貯蔵室は前方を回転式扉で構成し、前記断熱箱体に発泡断熱材を充填発泡すると同時に、前記第１の仕切体と、第２の仕切体に発泡断熱材を充填発泡したものである。
【０００８】
これによって、断熱箱体とともに発泡充填する仕切体により構成される開口部を、従来よりも細かくかつバランスよくセル化することができる。
【発明の効果】
【０００９】
本発明の冷蔵庫は、断熱箱体と一体構成した仕切体によって断熱箱体を従来よりも細かくかつバランスよくセル化するとともに、回転式扉を支持する仕切体を断熱箱体と一体構成したことで、扉に収納された食品の重量などの冷蔵庫に負荷された荷重を、バランスよく分散・支持することができ、冷蔵室の回転式扉の下がりを防止し、かつ冷蔵庫本体の剛性を向上させることができる。
【００１０】
また、剛性を確保するとともに、断熱箱体の薄壁化を実現できることから、冷蔵庫本体の内容積は、同じ外形寸法のまま大容量にするといった容積効率を向上することが可能となる。
【発明を実施するための最良の形態】
【００１１】
請求項１に記載の発明は、冷蔵庫本体は、外箱と内箱で構成される空間内に発泡断熱材を充填してなる断熱箱体と、前記断熱箱体を上下左右方向に区画する複数の仕切体と、前記仕切体によって区画された各貯蔵室と、前記各貯蔵室の前方開口部を塞ぐ扉とで構成され、前記仕切体のうち断熱箱体を上下方向に区画する前記断熱箱体の略全幅を構成する第１の仕切体と、前記第１の仕切体で上下に区画された内の、下方区画の略全高で構成する第２の仕切体とを有し、前記第１の仕切体により区画された上方の貯蔵室は前方を回転式扉で構成し、前記断熱箱体に発泡断熱材を充填発泡すると同時に、前記第１の仕切体と、第２の仕切体に発泡断熱材を充填発泡したものであり、断熱箱体と一体構成された２本の仕切体が断熱箱体を従来よりも細かく、かつバランスよくセル化することができるため、断熱箱体に負荷された荷重をバランスよく支持することができ、断熱箱体本体の剛性を向上させることができる。
【００１２】
請求項２に記載の発明は、請求項１に記載の発明において、前記第１の仕切体と前記第２の仕切体のうち、少なくとも１つの仕切体に連通穴を設け、前記第１の仕切体と前記第２の仕切体に、前記発泡断熱材を充填するものであり、発泡充填された仕切体に冷蔵庫の各貯蔵室を冷却するための冷気を送る風路の構成、製氷用の水を送るための給水経路の構成、霜取りした後の霜取り水を排水するドレン経路の構成といったような、特に温度帯の違う部屋への行き来を、発泡充填された仕切体の一部に構成しているので、断熱としての機能の劣化を最小限で抑えるとともに、仕切体に断熱以外の機能を容易に付加することが可能となる。
【００１３】
請求項３に記載の発明は、請求項２に記載の発明において、前記連通穴は別体の断熱部材で構成されているものであり、連通穴の形状の自由度を増すことができると共に、連通穴付近の発泡断熱材の漏れ防止構造を簡略化することができる。
【００１４】
請求項４に記載の発明は、請求項１から３のいずれか一項に記載の発明において、前記断熱箱体を上下左右に区画する複数の仕切体と、前記仕切体のうち発泡断熱材を充填された第１の仕切体と、第２の仕切体とで区画された貯蔵室の中で、前記第１の仕切体の下方に位置するとともに、最も前面開口面積が広い部屋に冷却器を配設したものであり、冷却器の取付け作業性の確保や冷却器の大きさ選定の自由度を増すことができる。
【００１５】
請求項５に記載の発明は、請求項１に記載の発明において、前記第１の仕切体の下方に位置し、前記第２の仕切体により区画された左右の貯蔵室を有し、前記貯蔵室は左右で温度帯が異なるものであり、左右の貯蔵室に温度差をつけ、断熱された仕切体の能力を最大限に活かすことができ、また一体発泡での仕切体を構成しているので、その断熱の厚みを小さくすることができ、貯蔵室の食品収納スペースを大きく活用、特に幅方向で広くすることができるため、見た目の広々感も感じとることができる。
【００１６】
請求項６に記載の発明は、請求項１に記載の発明において、前記第１の仕切体の下方に位置し、前記第２の仕切体により区画された左右の貯蔵室を有し、前記貯蔵室のうち少なくとも一方を上下に区画する第３の仕切体を構成し、前記第３の仕切体により区画された上下の各貯蔵室に前方開口部を塞ぐ扉を設けるものであり、人間の体において非常に使いやすい高さ、すなわち手を伸ばさす、腰をかがまず、脚をしゃがまずに食品を取り出せる位置に貯蔵室を設置することができ、使い勝手を飛躍的に向上することが可能となる。
【００１７】
請求項７に記載の発明は、請求項６に記載の発明において、前記第３の仕切体に発泡断熱材を発泡充填するものであり、更に断熱箱体を細かくセル化することができ、箱体の剛性を向上することができるとともに、第三の仕切体によって上下に区画された貯蔵室を、例えば上方を野菜室とし下方を冷凍室という風に、異なる温度帯のスペースを提供することが可能となる。
【００１８】
請求項８に記載の発明は、冷蔵庫本体は、外箱と内箱で構成される空間内に発泡断熱材を充填してなる断熱箱体と、前記断熱箱体を上下左右方向に区画する複数の仕切体と、前記仕切体によって区画された各貯蔵室と、前記各貯蔵室の前方開口部を塞ぐ扉とで構成され、前記仕切体のうち断熱箱体を上下方向に区画する前記断熱箱体の略全幅を構成する第１の仕切体と、前記第１の仕切体で上下に区画された内の、下方区画の略全高で構成する第２の仕切体とを有し、前記第１の仕切体により区画された上方の貯蔵室は前方を回転式扉で構成された冷蔵室とし、第２の仕切体により区画された左右の貯蔵室は一方を野菜室とし、もう一方を冷凍室とし、前記断熱箱体に発泡断熱材を充填発泡すると同時に、前記第１の仕切体と、第２の仕切体に発泡断熱材を充填発泡したものである。これにより、断熱された仕切による温度の異なる貯蔵室を効率的に配置することができるとともに、冷蔵室は目線の位置で使いやすい高さに位置させ、冷凍室、野菜室は収納する食品に応じた区分収納をすることが可能となる。
【００１９】
請求項９に記載の発明は、請求項８に記載の発明において、前記第２の仕切体で区画された左右の貯蔵室は、幅方向で略同一としたものであり、扉を開けたときの前方に突出する寸法も同じになり、キッチンでの前方のスペースを有効に活用できるとともに、均等な庫内容量配分にすることができ、お客様の使い勝手向上にも繋がる。
【００２０】
請求項１０に記載の発明は、請求項８または９に記載の発明において、前記冷凍室を上下に区画する第３の仕切体を有し、その前方には上下に区画された貯蔵室を塞ぐ扉を設け、前記冷凍室の上方を製氷室としたものであり、製氷室を上方に独立させることで、氷へのにおい移りを防止するとともに、かがまずに使いやすい高さで取り出しができる。また、ドア開閉を冷凍室と分散させられるので、無駄な冷気洩れを抑制し、省エネにも繋がる。
【００２１】
請求項１１に記載の発明は、冷蔵庫本体は、外箱と内箱で構成される空間内に発泡断熱材を充填してなる断熱箱体と、前記断熱箱体を上下左右方向に区画する複数の仕切体と、前記仕切体によって区画された各貯蔵室と、前記各貯蔵室の前方開口部を塞ぐ扉とで構成され、前記仕切体のうち断熱箱体を上下方向に区画する前記断熱箱体の略全幅を構成する第１の仕切体と、前記第１の仕切体で上下に区画された内の、下方区画の略全高で構成する第２の仕切体と、前記第１の仕切体の下方に位置し、前記第２の仕切体により区画された左右の貯蔵室を有し、前記貯蔵室のうち少なくとも一方を上下に区画する第３の仕切体とを有し、前記第１の仕切体により区画された上方の貯蔵室は前方を回転式扉で構成された冷蔵室とし、第２の仕切体及び第３の仕切体により左右及び上下に区画された貯蔵室の上方を野菜室とし、下方を第１の冷凍室とし、前記第１の仕切体の下方略全高で構成する貯蔵室を第２の冷凍室とし、前記断熱箱体に発泡断熱材を充填発泡すると同時に、前記第１の仕切体と、第２の仕切体に発泡断熱材を充填発泡したものである。これにより、野菜室を上方に位置させることで、重たい食品を楽な姿勢で出し入れできる。また、冷凍室を２つに分けることで、食品の形態や使い方に応じた区分収納を実現できる。
【００２２】
請求項１２に記載の発明は、請求項１１に記載の発明において、前記第２の冷凍室を上下に区画する第３の仕切体を有し、その前方には上下に区画された貯蔵室を塞ぐ扉を設け、前記第２の冷凍室の上方を製氷室としたものであり、冷凍室が食品の形態や使い方に応じた区分収納ができる。また、製氷室を上方に独立させることで、氷へのにおい移りを防止するとともに、かがまずに使いやすい高さで取り出しができる。また、ドア開閉を冷凍室と分散させられるので、無駄な冷気洩れを抑制し、省エネにも繋がるという相乗効果を得ることができる。
【００２３】
請求項１３に記載の発明は、請求項８から１２のいずれか一項に記載の発明において、前記冷蔵室に構成した前記回転扉を、前記第２の仕切体で区画された貯蔵室の前方を構成する扉と、同一線上で左右に分割したものであり、冷蔵庫の全高に渡って一直線上の縦ラインが表現でき、冷蔵庫の美感が向上する。また、回転扉の縦分割をすることで、開けたときの前方スペースが充分に取れ、食品の取り出しやすさも向上する。
【００２４】
請求項１４に記載の発明は、請求項１２または１３に記載の発明において、前記製氷室と前記第２の冷凍室は、前記野菜室と前記第１の冷凍室よりも幅方向で小さいものであり、製氷室をコンパクトにでき、また、第２の冷凍室を縦長に構成することができるためペットボトルや縦長の冷凍食品といった収納物を区別して収納することが可能となる。また野菜室及びストックを目的とした第１の冷凍室の幅を広く取ることができ、より大きな収納物をたくさん入れることができる。
【００２５】
以下、本発明による冷蔵庫の実施の形態について、図面を参照しながら説明する。なお、この実施の形態によってこの発明が限定されるものではない。
【００２６】
（実施の形態１）
以下、本発明の実施の形態１を図１〜図４に基づいて説明する。図１は、本発明の実施の形態１における冷蔵庫の正面図、図２は、本発明の実施の形態１における冷蔵庫の扉を開けた状態の断熱箱体の正面図、図３は、図１のＡ−Ａ断面図、図４は、本発明の実施の形態１における冷蔵庫の第１の仕切体の分解斜視図、図５は、本発明の実施の形態１における冷蔵庫の第１の仕切体を下方から見た平面図である。
【００２７】
図１、図２、図３に示すように、２０は冷蔵庫本体であり、冷蔵庫本体２０は、その外郭を外箱２１と内箱２２とからなる空間に発泡断熱材２３を充填した断熱箱体２４で構成される。断熱箱体２４は上下に区画するための略全幅で構成される第１の仕切体２５と、第１の仕切体２５の下方区画を左右に区画するための略全高で構成される第２の仕切体２６と、第２の仕切体２６により区画された左側の区画を上下に分割する第３の仕切体２７とにより、食品等を収納保存するための貯蔵室２８、２９、３０、３１が形成されている。ここでは、第１の仕切体２５の上方を冷蔵室２８、第１の仕切体２５の下方を左から順に製氷室２８、冷凍室３０、野菜室３１とする。
【００２８】
各貯蔵室２８、２９、３０、３１の前方開口にはそれぞれ冷蔵室扉２８ａ、製氷室扉２９ａ、冷凍室扉３０ａ、野菜室扉３１ａが設けられていて、それぞれの庫内の冷気を保持するよう塞がれている。冷蔵室扉２８ａは回転式扉であり、冷蔵庫本体２０の断熱箱体２４の天面に位置する外箱２１と第１の仕切体２５に設けた２つのヒンジ（図示せず）で保持し、人の手の力が加わることにより、両ヒンジ部を軸に回転駆動し扉を開放できるよう構成されている。その他の扉については、回転式扉及び引出し扉であっても構わない。なお製氷室２９と冷凍室３０は、庫内の温度が約同等（−１８℃）のため、第３の仕切体２７は製氷室扉２９ａ、冷凍室扉３０ａにより庫内を塞ぐためのものであって、庫内を仕切らなくても構わない。
【００２９】
冷蔵室２８の内部は、収納物を重ならず整理するための複数の棚２８ｂが設けられ、最下段には、特定低温室３８を設け生鮮類の肉や魚をおいしく保存できるよう引出し容器２８ｃで構成されている。また、冷蔵室扉２８ａには、その内側に複数のポケット２８ｄを設け、ペットボトルや調味量などの中ビン類を収納保存できるよう構成されている。製氷室２９には、その上方に氷をつくり貯えるための製氷装置（図示せず）が設置されていて、作られた氷を貯えるための容器２９ｂが設けられ、保存できる温度帯（−１８℃前後）に維持されている。一方、冷蔵室２８には製氷装置（図示せず）に給水するための給水タンク（図示せず）が冷蔵室２８下方に位置し、水を送るための給水経路（図示せず）を具備している。冷凍室３０は、収納物を整理して収納するための複数の容器３０ｂが設けられていて、収納物を凍結させて保存する温度帯（−１８℃前後）に維持されている。
【００３０】
断熱箱体２４に発泡断熱材２３を充填する際、第１の仕切体２５と第２の仕切体２６にも同時に発泡断熱材２３を充填することで、第１の仕切体２５と第２の仕切体２６と断熱箱体２４を、発泡断熱材２３を介した強固な一体構造としている。例えば、図４に示すように、仕切体２５、２６と断熱箱体２４の一体構造は、第１の仕切体２６の奥面及びサイド面に設けた切り欠き部３２に内箱２２に設けた孔（図示せず）と連通させるように発泡断熱材２３を充填することで実現している。
【００３１】
また、冷凍室３０の後方には、冷蔵庫本体２０を冷却するための冷却器３５が配設されていて、その冷却器３５の上方には、冷気を攪拌させるためのファン３６が配設されている。
【００３２】
次に、図４、５に示すように、第１の仕切体２５は、凹凸の少ない平面状の上蓋４０と下蓋４１で囲まれた空間に、発泡断熱材２３を充填して構成する。但し、製氷室２９の天井部分にはインスレーションのような非常に加工しやすい断熱部材４２が挿入されている。上蓋４０、下蓋４１、断熱部材４２には、製氷室２９の製氷装置へ水を送る給水経路を設置するための穴４３が設置されている。
【００３３】
以上のように構成された冷蔵庫は、発泡断熱材２３を介して断熱箱体２４と一体化して密着している第１の仕切体２５と第２の仕切体２６によって、従来の冷蔵庫よりも細かく、かつ上下左右方向でより均等な大きさとなるようにセル化されている。また、冷蔵室扉２８ａを支えるヒンジ（図示せず）を取り付けている第１の仕切体２５が、断熱箱体２４と一体化しているため、冷蔵室扉２８ａに設けた複数のポケット２８ｄに収納されたペットボトルやビン類など非常に重たい飲料により、冷蔵室扉２８ｄを開放したときにヒンジを取り付けている断熱箱体２４の天井部及び第１の仕切体２５に大きな荷重がかかったとしてもバランスよく分散・支持することができ、冷蔵室扉２８ａの荷重による下がりを防止し、かつ冷蔵庫本体の剛性を向上させることができる。
【００３４】
また第３の仕切体２７にも発泡断熱材２３を重点することで、さらに断熱箱体２４の箱体強度を向上するとともに、第３の仕切体２７の上方区画を冷凍室３０と異なる温度帯の貯蔵室（例えば冷蔵室や野菜室）に設定することが可能となる。このとき、発泡断熱材２８の膨張圧で断熱箱体２４ならびに第１の仕切体２５の側面が変形するのを治具で押さえつけることで防止する。第１の仕切体２５の断熱部材４２が挿入されていない部分は極端な凹凸のない平面となっているため、側面を容易に治具で押さえつけることができる。
【００３５】
また、第１の仕切体２５には給水経路のための穴４３が存在するため、第１の仕切体２５を介して冷蔵室２８から製氷室２９へ氷をつくるための水を送ることが可能となる。
【００３６】
一方、第１の仕切体２５の左側下方に製氷装置（図示せず）の取り付く部分は、製氷装置（図示せず）の取り付けのためのツメや凹みなど複雑な凹凸形状が集中しているため、発泡断熱材２３を充填する際の変形防止用治具の形状や設置方法が複雑になったり、変形を防止したい部分の形状が複雑であるが故に，変形防止治具で効果的に発泡断熱材２３の膨張圧での変形を抑制できず部品の取り付けが困難になったりする。そこで、上記の複雑な凹凸形状が集中している部分に断熱部材４２を挿入し部分的に断熱性を確保しながら発泡断熱材２３が充填されない様にすることで、変形防止様の治具を部分的に不要にすることができ、冷蔵庫の生産性向上に寄与することができる。また、第１の仕切体２５、第２の仕切体２６で区画される空間の奥面に冷却器３５を配設することで、少しでも広い空間で冷却器３０の冷蔵庫への取り付け作業をすることができるようにし、その作業性を向上させることができ、冷蔵庫の生産性向上に寄与することができる。
【００３７】
また、断熱された第１の仕切体２５、第２の仕切体２６にて区画された貯蔵室を温度帯の異なる上から冷蔵室２８、冷凍室３０、野菜室３１に設定しても冷気洩れ等が極めて少なく各貯蔵室の温度安定性が図れる。また、製氷室２９を冷凍室３０から第３の仕切体２７により区画され独立室とすることで、製氷室３０は非常に使いやすい高さ、すなわち手を伸ばさす、腰をかがまず、脚をしゃがまずに食品を取り出せるレイアウトとして提供し、使い勝手を飛躍的に向上することが可能となる。
【００３８】
さらに、第２の仕切体２６で左右に区画された冷凍室３０及び野菜室３１は幅方向で略同一の寸法に構成することで、冷凍室扉３０ａ、野菜室扉３１ａを開けたときの前方に突出する寸法も同じになり、キッチンでの前方のスペースを有効に活用できるとともに、均等な庫内容量配分にすることができ、お客様の使い勝手向上にも繋がる。
【００３９】
（実施の形態２）
本発明の実施の形態２を図６〜図８に基づいて説明する。図６は、本発明の実施の形態２における冷蔵庫の正面図、図７は、本発明の実施の形態２における冷蔵庫の扉を開けた状態の断熱箱体の正面図、図８は、図６のＢ−Ｂ断面図である。
【００４０】
図６、図７、図８に示すように、２０は冷蔵庫本体であり、冷蔵庫本体２０は、その外郭を外箱２１と内箱２２とからなる空間に発泡断熱材２３を充填した断熱箱体２４で構成される。断熱箱体２４は上下に区画するための略全幅で構成される第１の仕切体２５と、第１の仕切体２５の下方区画を左右に区画するための略全高で構成される第２の仕切体２６と、第２の仕切体２６により区画された左側の区画を上下に分割する第３の仕切体２７と、第２の仕切体２７により区画された右側の区画を上下に分割する第４の仕切体５０とにより、食品等を収納保存するための複数の貯蔵室５１、５２、５３、５４、５５が形成されている。ここでは、第１の仕切体２５の上方を冷蔵室５１、第１の仕切体２５の下方を左から順に製氷室５２、第２の冷凍室５３、野菜室５４、第１の冷凍室５５とする。
【００４１】
各貯蔵室５１、５２、５３、５４、５５の前方開口にはそれぞれ冷蔵室扉５１ａ、５１ｂ、製氷室扉５２ａ、第２の冷凍室扉５３ａ、野菜室扉５４ａ、第１の冷凍室扉５５ａが設けられていて、それぞれの庫内の冷気を保持するため塞がれている。冷蔵室扉５１ａ、５１ｂは第２の仕切体２６で区画された製氷室５２と野菜室５４と略同一の幅寸法で左右に分割された観音式回転扉であり、冷蔵庫本体２０の断熱箱体２４の天面に位置する外箱２１と第１の仕切体２５に設けた上下２つのヒンジ（図示せず）にて保持され、人の手の力が加わることにより、両ヒンジ部を軸に回転駆動し扉を開放できるよう構成されている。その他の扉については、引出し扉５２ａ、５３ａ、５４ａ、５５ａで構成され、各貯蔵室内部には収納物を保存するための容器（図示せず）を持ち、各扉の開け閉めとともに、それぞれの容器も動くようになっている。
【００４２】
断熱箱体２４に発泡断熱材２３を充填する際、第１の仕切体２５と第２の仕切体２６にも同時に発泡断熱材２３を充填することで、第１の仕切体２５と第２の仕切体２６と断熱箱体２４を、発泡断熱材２３を介した強固な一体構造としている。第３の仕切体２７は製氷室５２と第２の冷凍室５３を区画していて、ともに冷凍温度帯に設定されていることから断熱する仕切ではなく、区画するための仕切である。第４の仕切体５０は、野菜室５４、第１の冷凍室５５を断熱区画するためのものであって、ここでは後付けの断熱仕切体で構成される。例えば、野菜室５４及び第１の冷凍室５５の後方に冷却器３５を設置することによって、冷却器３５及びそのカバー（図示せず）を発泡後に取り付けてから第４の仕切体５０を取り付けることになる。なお、冷却器３５が第１の冷凍室５５内に完全に収納できるのであれば、第１の仕切体２５及び第２の仕切体２６と同時に第３の仕切体２７にも発泡断熱材２３を充填することも考えられる。
【００４３】
以上のように構成された冷蔵庫は、使用頻度が非常に高い冷蔵室５２を、人の目線に位置する非常に見渡しやすく取り出しやすい位置にし、その下方に夏場に使用頻度の非常に高い製氷室５２を、腰を屈めず楽な姿勢で、上から見渡すことができて取り出しやすい位置にし、重たい収納物（白菜や大根、ペットボトル等）を入れる頻度が高い野菜室５４を、持ち上げることなく簡単に出し入れできる高さに位置させ、その下方には比較的使用頻度の低い２つの冷凍室５３、５５を、第２の仕切体２６により分割し収納物の形状や使い方に応じた区分収納を可能にした構成にすることで、使い勝手を飛躍的に向上したレイアウトが実現できる。
【００４４】
また、製氷室５２を独立させることで、氷へのにおい移りを防止するとともに、ドア開閉を２つの冷凍室５３、５５と分散させられるので、無駄な冷気洩れを抑制し、省エネにも繋がるという相乗効果を得ることができる。
【００４５】
また、第２の仕切体２６で左側に区画される製氷室２９、第２の冷凍室５３と右側に区画される野菜室５４、第１の冷凍室５５との区画ラインをそのまま冷蔵室扉５１ａ、５１ｂの分割ラインとすることで、冷蔵庫の全高に渡って一直線の縦分割ラインが表現でき、冷蔵庫の美感が向上する。また、冷蔵室扉５１ａを縦分割することで、扉を開けたときの前方への突出代を抑制でき、キッチンでのスペースが充分に取れ、食品の取り出しやすさも向上する。
【００４６】
さらに、製氷室５２と第２の冷凍室５３を幅方向で小さく構成することで、製氷室３０をコンパクトにでき、また、第２の冷凍室５３を縦長に構成することができるためペットボトルや縦長の冷凍食品といった収納物を区別して収納することが可能となる。また野菜室５４及びストックを目的とした第１の冷凍室５５の幅を広く取ることができ、より大きな収納物をたくさん入れることができる。
【産業上の利用可能性】
【００４７】
以上のように、本発明にかかる冷蔵庫は、断熱箱体と一体構成した仕切体によって断熱箱体を従来よりも細かくかつバランスよくセル化したことで、断熱箱体本体の剛性を向上させることが可能となるので、冷却貯蔵庫の箱体の剛性を向上させること等にも適用できる。
【図面の簡単な説明】
【００４８】
【図１】本発明の実施の形態１における冷蔵庫の正面図
【図２】本発明の実施の形態１における冷蔵庫の扉を開けた状態の断熱箱体の正面図
【図３】図１のＡ−Ａ断面図
【図４】本発明の実施の形態１における冷蔵庫の第１の仕切体の分解斜視図
【図５】本発明の実施の形態１における冷蔵庫の第１の仕切体を下方から見た平面図
【図６】本発明の実施の形態２における冷蔵庫の正面図
【図７】本発明の実施の形態２における冷蔵庫の扉を開けた状態の断熱箱体の正面図
【図８】図６のＢ−Ｂ断面図
【図９】従来の冷蔵庫の正面図
【図１０】従来の冷蔵庫の扉を開けた状態の断熱箱体の正面図
【図１１】従来の冷蔵庫の縦断面図
【符号の説明】
【００４９】
２０  冷蔵庫本体
２１  外箱
２２  内箱
２３  発泡断熱材
２４  断熱箱体
２５  第１の仕切体
２６  第２の仕切体
２７  第３の仕切体
２８ａ  冷蔵室扉
３５  冷却器
４２  断熱部材
４３  穴（連通穴）
５０  第４の仕切体
５１  冷蔵室
５１ａ  冷蔵室扉
５１ｂ  冷蔵室扉
５２  製氷室
５３  第２の冷凍室
５４  野菜室
５５  第１の冷凍室
【図１】
2006250421.tif 000003
【図２】
2006250421.tif 000004
【図３】
2006250421.tif 000005
【図４】
2006250421.tif 000006
【図５】
2006250421.tif 000007
【図６】
2006250421.tif 000008
【図７】
2006250421.tif 000009
【図８】
2006250421.tif 000010
【図９】
2006250421.tif 000011
【図１０】
2006250421.tif 000012
【図１１】
2006250421.tif 000013